(57)【要約】【課題】品質の安定した製造コストの安い、使用に対しても連結、取り外し操作性を良好にするとともに中芯部に設けた取っ手部のデザインの自由度を上げた引輪金具を提供する。【解決手段】管状の円環５と、中芯部８と、コイルバネ９とからなり、管状の円環５は、一部に切り欠き部１と、該切り欠き部の一端よりわずかに離れた外周にスリット２と、該スリットよりわずかに離れた外周に鎖または紐状体の一端と連結するＵ字環３と、前記切り欠き部の他端６ｂよりわずかに離れた管内に停止部４とを設けて形成し、中芯部８は、板材を加工して前記管状の円環内に移動可能な状態で配置して、前記切り欠き部を閉塞するように前記管状の円環端部６ａより突出するとともにデザインを取り入れた前記スリットより突出する取っ手部７を設けて形成し、前記管状の円環内に収容されるとともに前記中芯部が前記切り欠き部をふさぐ方向に付勢するコイルバネ９とからなるものである。【選択図】図２
2006314820.tif 000002
【特許請求の範囲】
【請求項１】
管状の円環と、中芯部と、コイルバネとからなる引輪金具において、
管状の円環は、一部に切り欠き部と、該切り欠き部の一端よりわずかに離れた外周にスリットと、該スリットよりわずかに離れた外周に鎖または紐状体の一端と連結するＵ字環と、前記切り欠き部の他端よりわずかに離れた管内に停止部とを設けて形成し、
中芯部は、板材を加工して前記管状の円環内に移動可能な状態で配置して、前記切り欠き部を閉塞するように前記管状の円環端部より突出するとともにデザインを取り入れた前記スリットより突出する取っ手部を設けて形成し、
前記管状の円環内に収容されるとともに前記中芯部が前記切り欠き部をふさぐ方向に付勢するコイルバネと、から構成されることを特徴とする引輪金具。
【請求項２】
線材を一体成型してデザインを取り入れた取っ手部を有する中芯部を形成させて、管状の円環内に配置したことを特徴とする請求項１記載の引輪金具。
【請求項３】
中芯部に設けた取っ手部に接続孔を設けて下げ飾りを連結させることを特徴とする請求項１または請求項２に記載の引輪金具。
【発明の詳細な説明】
【技術分野】
【０００１】
本発明は、装身具であるネックレス、ブレスレット等の一端に取り付けて該装身具の両端部を連結して輪状に形成させる引輪金具に関するものである。
【背景技術】
【０００２】
従来の引輪を図８に（ａ）平面図、（ｂ）正面図で示し、一部に切り欠き部３１を有し、該切り欠き部の一端よりわずかに離れた外周にスリット３２と、該スリットよりわずかに離れた外周にネックレス、ブレスレット等の一端と連結するＵ字環３３と、前記切り欠き部他端よりわずかに離れた内部に停止体３４とを内設して形成した輪状パイプ３５と、前記スリットより突出した取手部３６を具備させて輪状パイプ内に移動可能な状態で配置されるとともに前記切り欠き部を閉塞するように前記輪状パイプの端部３５ａより突出する中芯部３７と、前記輪状パイプ内に収容されるとともに前記中芯部が前記切り欠き部をふさぐ方向に付勢するコイルバネ３８とからなる構成にて形成させた引輪は周知である（例えば、特許文献１参照。）。
【０００３】
しかし、前記引輪は多用されている反面、取手部が小さいために該取手部を移動させて切り欠き部を開いてネックレス等の他端と着脱させる操作が人によってはやりにくい欠点があり、より操作性を容易とした引輪金具が要望されている。
【０００４】
また、操作性を向上させた引輪として、図９に示す切り欠き部４１を有するリング４２と、前記リングより径大で中途部に係止部を設けかつ取手金具４３を取り付けた中空短管４４と、前記中空短管を前記リングの両端部に摺動自在に嵌合して閉方向に付勢するバネ４６とからなり、前記取手金具が、上部に小孔４７を備えた装飾用引輪がある（例えば、特許文献２参照。）。
【０００５】
しかし上記装飾用引輪は、前記引輪の欠点を補う構造であるが、取手金具を取り付けた中空短管を摺動させるとリングの一部外周面にキズが付く問題があり、市場性としては前記引輪より劣るものである。
【０００６】
前記２種の引輪の問題を補うものとして、中空のリング状などの形状をした基環と該基環の外側に取り付けられた二つの幹枝部を有するつまみ部材とからなり、前記基環に不連続部分を形成する開放部を形成し、前記基環の中空内部に前記開放部を開閉する閉塞体を摺動可能に嵌装するとともに前記閉塞体を閉方向に付勢するコイルスプリングなどの弾性体を嵌装し、前記つまみ部材の一方の幹枝部を前記基環の外側に取り付け、他の幹枝部を基環に形成されたつまみ部材移動用のスリット部に於いて前記閉塞体に連接し、このつまみ部材をつまむことにより前記閉塞体を摺動移動させて基環の開放部を開閉する構成とした連結部材がある（例えば、特許文献３参照。）。
【０００７】
しかし上記連結部材は、操作性を重視するあまり該連結部材自体のデザイン性に難があり、装身具であるネックレス等に用いた場合は、該ネックレス全体のデザインが損なわれる欠点がある。
【０００８】
【特許文献１】実開昭４９−１２０５９０号公報
【特許文献２】実開昭６１−１７７０１２号公報
【特許文献３】実開平０１−７７４１９号公報
【発明の開示】
【発明が解決しようとする課題】
【０００９】
本発明は、上記を鑑み解決しようとする問題点は、品質の安定した製造コストの安い、使用に対しても連結、取り外し操作性を良好にするとともに中芯部に設けた取っ手部のデザインの自由度を上げた引輪金具の提供を目的とするものである。
【課題を解決するための手段】
【００１０】
前記目的を達成するために請求項１に係る発明は、管状の円環と、中芯部と、コイルバネとからなり、
管状の円環は、一部に切り欠き部と、該切り欠き部の一端よりわずかに離れた外周にスリットと、該スリットよりわずかに離れた外周に鎖または紐状体の一端と連結するＵ字環と、前記切り欠き部の他端よりわずかに離れた管内に停止部とを設けて形成し、
中芯部は、板材を加工して前記管状の円環内に移動可能な状態で配置して、前記切り欠き部を閉塞するように前記管状の円環端部より突出するとともにデザインを取り入れた前記スリットより突出する取っ手部を設けて形成し、
前記管状の円環内に収容されるとともに前記中芯部が前記切り欠き部をふさぐ方向に付勢するコイルバネと、からなるものである。
【００１１】
また、請求項２に記載の手段は、請求項１に記載した引輪金具において、線材を一体成型してデザインを取り入れた取っ手部を有する中芯部を形成させて管状の円環内に配置させてなるものである。
【００１２】
また、請求項３に記載の手段は、請求項１または請求項２に記載の引輪金具において、中芯部に設けた取っ手部に接続孔を設けて下げ飾りを連結させてなるものである。
【発明の効果】
【００１３】
本発明の請求項１に係るような板材を加工して取っ手部を大きくし、該取っ手部にデザインを取り入れて中芯部を形成させることにより、趣味性を有するとともに取っ手部に指がかけやすくなり、装身具の一端との連結、取り外しの操作性をより向上させることができ、そして、品質の安定した製造コストの安い引輪金具となった。
【００１４】
また、請求項２に係る発明のような線材を一体成型して取っ手部を大きくしてデザインを取り入れた中芯部を形成したことにより、取っ手部に指がかけやすくなり操作性及び装飾性も向上するとともに品質の安定した製造コストを安くしての提供を実現した。
【００１５】
また、請求項３に係る発明のような前記中芯部に設けた接続孔を有する取っ手部に下げ飾りを連結させることにより、該下げ飾りを把持して容易に連結、取り外し操作を可能とするとともに装飾手段を向上させた引輪金具の提供をも実現した。
【発明を実施するための最良の形態】
【００１６】
以下本発明の実施例を図面に基づいて説明する。
図１は、本発明の請求項１に係わる実施例を構成する部品を示し、（ａ）と（ｂ）は、管状の円環５の平面図、正面図を示したものであり、管状の円環５は、一部に切り欠き部１と、該切り欠き部１の一端よりわずかに離れた外周にスリット２と、該スリット２よりわずかに離れた外周に鎖または紐状体の一端と連結するＵ字環３と、環状の円環端部６ｂよりわずかに離れた管状の円環５内にコイルバネ９が付勢時に管状の円環５内より抜けでないようにする停止部４とを設けて形成した。
【００１７】
図１の（ｃ）と（ｄ）は、中芯部８の平面図、正面図を示したものであり、中芯部８は、プレス加工にて板材を型抜きしてハート形の取っ手部７を有して形成した。
【００１８】
図１の（ｅ）は、コイルバネ９を図示したものであり、管状の円環５内に収容されるとともに中芯部８が管状の円環端部６ａより突出して切り欠き部１を閉塞する方向に付勢させるのに用いた。
【００１９】
図２は、図１に示した部品を用いて形成させた引輪金具を示し、管状の円環５内に管状の円環端部６ａよりコイルバネ９を挿入し、スリット２より中芯部８を管状の円環５内に、コイルバネ９の付勢にて移動可能な状態で配置されるように挿入することにより、ハート形の取っ手部７をスリット２より突出させた状態にて引輪金具を形成させることができる。
【００２０】
切り欠き部１を閉塞状態より開口状態とするには、管状の円環５の外周に設けたＵ字環３を基部として取っ手部７をＵ字環３方向へ引いて移動させることにより可能となる。
そして、取っ手部７を離せば、コイルバネ９の押し圧する付勢により、中芯部８は、管状の円環端部６ａより突出して切り欠き部１を閉塞した状態とすることができる。
【００２１】
図３の（ａ）と（ｂ）は、プレス加工にて板材を型抜きして略滴形の取っ手部７ａを、また、クローバー形の取っ手部７ｂを用いて引輪金具を形成した実施例を図示し、取っ手部７を欲するデザイン形状にした引輪金具とすることができる。
実施にあたって、中芯部８は、板材をプレス加工にて形成したが限定するものではなく、ワイヤ放電加工、レーザー加工などの加工手段を用いても良い。
【００２２】
図４は、本発明の引輪金具を紐状体２５に用いた使用例を要部を切り欠いて示したものであり、引輪金具に設けたＵ字環３と紐状体２５の一端を、環２７を介して連結するとともに連結プレート２６と紐状体２５の他端を、環２７ａを介して連結して装身具であるネックレスを形成した。
【００２３】
前記ネックレスを身体に装着する場合は連結プレート２６を左手に持ち、右手親指でＵ字環３を基部として、人差し指で取っ手部７を把持して引輪金具を持ち、取っ手部７をＵ字環３方向へ引いて移動させることにより切り欠き部１は開口状態となり、連結プレート２６の連結孔２６ａを開口した切り欠き部１より配して前記取っ手部７を離せばコイルバネ９の押し圧する付勢により中芯部８は管状の円環端部６ａより突出して切り欠き部１を閉塞した状態となり連結プレート２６と引輪金具を連結させることにより装着ができる。
【００２４】
図５は、本発明の請求項２に係わる一実施例を構成する部品を示し、（ａ）と（ｂ）は、請求項１に用いたものと同じ管状の円環５の平面図、正面図を示したものであり、管状の円環５は、一部に切り欠き部１と、該切り欠き部の一端よりわずかに離れた外周にスリット２と、該スリットよりわずかに離れた外周にＵ字環３と、環状の円環端部６ｂの他端よりわずかに離れた管状の円環５内にコイルバネ９が付勢時に管状の円環５内より抜けでないようにする停止部４とを設けて形成した。
【００２５】
図５の（ｃ）と（ｄ）は、中芯部１２の平面図、正面図を示したものであり、丸線材を一体成型してハート形の取っ手部１１を有する中芯部１２を形成した。
【００２６】
図５の（ｅ）は、請求項１に用いたものと同じコイルバネ９を示したものであり、管状の円環５内に収容されるとともに中芯部１２が管状の円環端部６ａより突出して切り欠き部１を閉塞する方向に付勢させるのに用いた。
【００２７】
図６は、図５の部品を用いて形成させた引輪金具を示し、管状の円環５内に管状の円環端部６ａよりコイルバネ９を挿入し、スリット２より中芯部１２を管状の円環５内にコイルバネ９の付勢にて移動可能な状態で配置されるように挿入することにより、取っ手部１１をスリット２より突出させた状態で引輪金具を形成させることができる。
【００２８】
図７は、本発明の請求項３に係わる実施例を要部を切り欠いて示した正面図であり、プレス加工にて板材を型抜きして中芯部２１に設けた取っ手部２０に接続孔２２を設けて下げ飾り２４を連結させることにより、下げ飾り２４を把持して容易に連結、取り外し操作を可能とするとともに着用時の装飾手段をも向上させる引輪金具となった。
【図面の簡単な説明】
【００２９】
【図１】本発明の請求項１に係わる実施例の構成を示す部品の正面図である。
【図２】図２の部品より引輪金具を形成させた状態を一部断面図を用いて示す概念図である。
【図３】取っ手部の形状を変えた実施例を一部断面図を用いて示す概念図である。
【図４】本発明の引輪金具を紐状体に用いた使用例を示す正面図である。
【図５】本発明の請求項２に係わる実施例の構成を示す部品の正面図である。
【図６】図５の部品より引輪金具を形成させた状態を一部断面図を用いて示す概念図である。
【図７】本発明の請求項３に係わる一実施例を示す正面図である。
【図８】従来の引輪金具を正面図、平面図で示す。
【図９】従来の他の引輪金具を示す正面図である。
【符号の説明】
【００３０】
１    切り欠き部
２    スリット
３    Ｕ字環
４    停止部
５    管状の円環
６    管状の円環端部
７    取っ手部
８    中芯部
９    コイルバネ
１１    取っ手部
１２    中芯部
２０    取っ手部
２１    中芯部
２２    接続孔
２３    中芯部
２４    下げ飾り
２５    紐状体
２６    連結プレート
２６ａ  連結孔
２７    環
３１    切り欠き部
３２    スリット
３３    Ｕ字環
３４    停止体
３５    輪状パイプ
３５ａ  輪状パイプの端部
３６    取っ手部
３７    中芯部
３８    コイルバネ
３９    鎖
４１    切り欠き部
４２    リング
４３    取手金具
４４    中空短管
４５    両端部
４６    バネ
４７    小孔
【図１】
2006314820.tif 000003
【図２】
2006314820.tif 000004
【図３】
2006314820.tif 000005
【図４】
2006314820.tif 000006
【図５】
2006314820.tif 000007
【図６】
2006314820.tif 000008
【図７】
2006314820.tif 000009
【図８】
2006314820.tif 000010
【図９】
2006314820.tif 000011
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
管状の円環と、中芯部と、コイルバネとからなる引輪金具において、
管状の円環は、一部に切り欠き部と、該切り欠き部の一端よりわずかに離れた外周にスリットと、該スリットよりわずかに離れた外周に鎖または紐状体の一端と連結するＵ字環と、前記切り欠き部の他端よりわずかに離れた管内に停止部とを設けて形成し、
中芯部は、板材を加工して前記管状の円環内に移動可能な状態で配置して、前記切り欠き部を閉塞するように前記管状の円環端部より突出するとともに操作性向上目的として指のかかりをよくするために前記Ｕ字環の高さ寸法に対して同等もしくは大きい形状とした前記スリットより突出する取っ手部を設けて形成し、
前記管状の円環内に収容されるとともに前記中芯部が前記切り欠き部をふさぐ方向に付勢するコイルバネと、から構成されることを特徴とする引輪金具。
【手続補正２】
【補正対象書類名】明細書
【補正対象項目名】全文
【補正方法】変更
【補正の内容】
【発明の詳細な説明】
【技術分野】
【０００１】
本発明は、装身具であるネックレス、ブレスレット等の一端に取り付けて該装身具の両端部を連結して輪状に形成させる引輪金具に関するものである。
【背景技術】
【０００２】
従来の引輪を図５に（ａ）平面図、（ｂ）正面図で示し、一部に切り欠き部３１を有し、該切り欠き部の一端よりわずかに離れた外周にスリット３２と、該スリットよりわずかに離れた外周にネックレス、ブレスレット等の一端と連結するＵ字環３３と、前記切り欠き部他端よりわずかに離れた内部に停止体３４とを内設して形成した輪状パイプ３５と、前記スリットより突出した取手部３６を具備させて輪状パイプ内に移動可能な状態で配置されるとともに前記切り欠き部を閉塞するように前記輪状パイプの端部３５ａより突出する中芯部３７と、前記輪状パイプ内に収容されるとともに前記中芯部が前記切り欠き部をふさぐ方向に付勢するコイルバネ３８とからなる構成にて形成させた引輪は周知である（例えば、特許文献１参照。）。
【０００３】
しかし、前記引輪は多用されている反面、取手部が小さいために該取手部を移動させて切り欠き部を開いてネックレス等の他端と着脱させる操作が人によってはやりにくい欠点があり、より操作性を容易とした引輪金具が要望されている。
【０００４】
また、操作性を向上させた引輪として、図６に示す切り欠き部４１を有するリング４２と、前記リングより径大で中途部に係止部を設けかつ取手金具４３を取り付けた中空短管４４と、前記中空短管を前記リングの両端部に摺動自在に嵌合して閉方向に付勢するバネ４６とからなり、前記取手金具が、上部に小孔４７を備えた装飾用引輪がある（例えば、特許文献２参照。）。
【０００５】
しかし上記装飾用引輪は、前記引輪の欠点を補う構造であるが、取手金具を取り付けた中空短管を摺動させるとリングの一部外周面にキズが付く問題があり、市場性としては前記引輪より劣るものである。
【０００６】
前記２種の引輪の問題を補うものとして、中空のリング状などの形状をした基環と該基環の外側に取り付けられた二つの幹枝部を有するつまみ部材とからなり、前記基環に不連続部分を形成する開放部を形成し、前記基環の中空内部に前記開放部を開閉する閉塞体を摺動可能に嵌装するとともに前記閉塞体を閉方向に付勢するコイルスプリングなどの弾性体を嵌装し、前記つまみ部材の一方の幹枝部を前記基環の外側に取り付け、他の幹枝部を基環に形成されたつまみ部材移動用のスリット部に於いて前記閉塞体に連接し、このつまみ部材をつまむことにより前記閉塞体を摺動移動させて基環の開放部を開閉する構成とした連結部材がある（例えば、特許文献３参照。）。
【０００７】
しかし上記連結部材は、操作性を重視するあまり該連結部材自体のデザイン性に難があり、装身具であるネックレス等に用いた場合は、該ネックレス全体のデザインが損なわれる欠点がある。
【０００８】
【特許文献１】実開昭４９−１２０５９０号公報
【特許文献２】実開昭６１−１７７０１２号公報
【特許文献３】実開平０１−７７４１９号公報
【発明の開示】
【発明が解決しようとする課題】
【０００９】
本発明は、上記を鑑み解決しようとする問題点は、品質の安定した製造コストの安い、使用に対しても連結、取り外し操作性を良好にするとともに中芯部に設けた取っ手部のデザイン形状の自由度を上げた引輪金具の提供を目的とするものである。
【課題を解決するための手段】
【００１０】
前記目的を達成するために請求項１に係る発明は、管状の円環と、中芯部と、コイルバネとからなり、
管状の円環は、一部に切り欠き部と、該切り欠き部の一端よりわずかに離れた外周にスリットと、該スリットよりわずかに離れた外周に鎖または紐状体の一端と連結するＵ字環と、前記切り欠き部の他端よりわずかに離れた管内に停止部とを設けて形成し、
中芯部は、板材を加工して前記管状の円環内に移動可能な状態で配置して、前記切り欠き部を閉塞するように前記管状の円環端部より突出するとともに操作性向上目的として指のかかりをよくするために前記Ｕ字環の高さ寸法に対して同等もしくは大きい形状とした前記スリットより突出する取っ手部を設けて形成し、
前記管状の円環内に収容されるとともに前記中芯部が前記切り欠き部をふさぐ方向に付勢するコイルバネと、からなるものである。
【発明の効果】
【００１１】
本発明の請求項１に係るような板材を加工して取っ手部を大きくし、該取っ手部にデザイン形状を取り入れて中芯部を形成させることにより、趣味性を有するとともに取っ手部に指がかけやすくなり、装身具の一端との連結、取り外しの操作性をより向上させることができ、そして、品質の安定した製造コストの安い引輪金具となった。
【発明を実施するための最良の形態】
【００１２】
以下本発明の実施例を図面に基づいて説明する。
図１は、本発明の請求項１に係わる実施例を構成する部品を示し、（ａ）と（ｂ）は、管状の円環５の平面図、正面図を示したものであり、管状の円環５は、一部に切り欠き部１と、該切り欠き部１の一端よりわずかに離れた外周にスリット２と、該スリット２よりわずかに離れた外周に鎖または紐状体の一端と連結するＵ字環３と、環状の円環端部６ｂよりわずかに離れた管状の円環５内にコイルバネ９が付勢時に管状の円環５内より抜けでないようにする停止部４とを設けて形成した。
【００１３】
図１の（ｃ）と（ｄ）は、中芯部８の平面図、正面図を示したものであり、中芯部８は、プレス加工にて板材を型抜きしてハート形の取っ手部７を有して形成した。
【００１４】
図１の（ｅ）は、コイルバネ９を図示したものであり、管状の円環５内に収容されるとともに中芯部８が管状の円環端部６ａより突出して切り欠き部１を閉塞する方向に付勢させるのに用いた。
【００１５】
図２は、図１に示した部品を用いて形成させた引輪金具を示し、管状の円環５内に管状の円環端部６ａよりコイルバネ９を挿入し、スリット２より中芯部８を管状の円環５内に、コイルバネ９の付勢にて移動可能な状態で配置されるように挿入することにより、ハート形の取っ手部７をスリット２より突出させた状態にて引輪金具を形成させることができる。
【００１６】
切り欠き部１を閉塞状態より開口状態とするには、管状の円環５の外周に設けたＵ字環３を基部として取っ手部７をＵ字環３方向へ引いて移動させることにより可能となる。
そして、取っ手部７を離せば、コイルバネ９の押し圧する付勢により、中芯部８は、管状の円環端部６ａより突出して切り欠き部１を閉塞した状態とすることができる。
【００１７】
図３の（ａ）と（ｂ）は、プレス加工にて板材を型抜きして略滴形の取っ手部７ａを、また、クローバー形の取っ手部７ｂを用いて引輪金具を形成した実施例を図示し、取っ手部７を欲するデザイン形状にした引輪金具とすることができる。
実施にあたって、中芯部８は、板材をプレス加工にて形成したが限定するものではなく、ワイヤ放電加工、レーザー加工などの加工手段を用いても良い。
【００１８】
図４は、本発明の引輪金具を紐状体２５に用いた使用例を要部を切り欠いて示したものであり、引輪金具に設けたＵ字環３と紐状体２５の一端を、環２７を介して連結するとともに連結プレート２６と紐状体２５の他端を、環２７ａを介して連結して装身具であるネックレスを形成した。
【００１９】
前記ネックレスを身体に装着する場合は連結プレート２６を左手に持ち、右手親指でＵ字環３を基部として、人差し指で取っ手部７を把持して引輪金具を持ち、取っ手部７をＵ字環３方向へ引いて移動させることにより切り欠き部１は開口状態となり、連結プレート２６の連結孔２６ａを開口した切り欠き部１より配して前記取っ手部７を離せばコイルバネ９の押し圧する付勢により中芯部８は管状の円環端部６ａより突出して切り欠き部１を閉塞した状態となり連結プレート２６と引輪金具を連結させることにより装着ができる。
【図面の簡単な説明】
【００２０】
【図１】本発明の請求項１に係わる実施例の構成を示す部品の正面図である。
【図２】図１の部品より引輪金具を形成させた状態を一部断面図を用いて示す概念図である。
【図３】取っ手部の形状を変えた実施例を一部断面図を用いて示す概念図である。
【図４】本発明の引輪金具を紐状体に用いた使用例を示す正面図である。
【図５】従来の引輪金具を正面図、平面図で示す。
【図６】従来の他の引輪金具を示す正面図である。
【符号の説明】
【００２１】
１    切り欠き部
２    スリット
３    Ｕ字環
４    停止部
５    管状の円環
６    管状の円環端部
７    取っ手部
８    中芯部
９    コイルバネ
２５    紐状体
２６    連結プレート
２６ａ  連結孔
２７    環
３１    切り欠き部
３２    スリット
３３    Ｕ字環
３４    停止体
３５    輪状パイプ
３５ａ  輪状パイプの端部
３６    取っ手部
３７    中芯部
３８    コイルバネ
３９    鎖
４１    切り欠き部
４２    リング
４３    取手金具
４４    中空短管
４５    両端部
４６    バネ
４７    小孔
【手続補正３】
【補正対象書類名】図面
【補正対象項目名】全図
【補正方法】変更
【補正の内容】
【図１】
2006314820.tif 000012
【図２】
2006314820.tif 000013
【図３】
2006314820.tif 000014
【図４】
2006314820.tif 000015
【図５】
2006314820.tif 000016
【図６】
2006314820.tif 000017